(57)【要約】      （修正有）【課題】家具のクイック組み立て構造を提供する。【解決手段】家具のクイック組み立て構造は、複数本の縦棒１と、複数本の横棒２と、少なくとも１つの載置板とを備える。縦棒１の側面にはワイドスロットセクション１１１及び狭いスロットセクション１１２を有する溝部１１が少なくとも形成され、横棒２の両端にはワイドスロットセクション１１１に対応するように凸部２１が各々形成され、且つ凸部２１は外径が内縮されて狭いスロットセクション１１２に対応するように狭い径セクション２２が形成される。これにより、凸部２１が溝部１１に対応するように嵌合されて設置され、載置板を設置させるためのフレーム体が獲得される。この構造を応用する家具は素早く組み立て及び解体を行えるという特性を有する。【選択図】図２
0003209806.tif 000002
【実用新案登録請求の範囲】
【請求項１】
複数本の縦棒と、複数本の横棒と、少なくとも１つの載置板とを備え、
前記縦棒の側面には溝部が少なくとも形成され、前記溝部は２つの溝体が相互に導通されるように形成され、その内の１つの溝体は上方のワイドスロットセクションに位置され、もう１つの溝体は下方の狭いスロットセクションに位置され、前記横棒の両端にはワイドスロットセクションに対応するように凸部が各々形成され、且つ前記凸部は外径が内縮されて狭いスロットセクションに対応するように狭い径セクションが形成され、
これにより、横棒の凸部の一端がワイドスロットセクションを貫通させ、且つ狭い径セクションが狭いスロットセクションに位置を合わせ、その凸部が自然に降下されるように縦棒の内面に係合され、垂直棒体及び水平棒体の設置が完成し、複数本の縦棒及び横棒が順にこの手法で設置されることによりフレームが完成し、その後に載置板が横棒上に載置されることで支持効果を有する平台が組み立てられることを特徴とする家具のクイック組み立て構造。
【請求項２】
前記横棒の側面には複数の溝部が形成され、前記溝部は２つの溝体が相互に導通されるように形成され、横棒が水平に載置された状態では、その内の１つの溝体が上方のワイドスロットセクションに位置され、もう１つの溝体が下方の狭いスロットセクションに位置され、前記載置板の両端には横棒のワイドスロットセクションに対応するように少なくとも１つの凸部が各々形成され、且つ前記載置板の凸部は平台の端面との間に横棒の狭いスロットセクションに対応するように内縮される狭い径セクションが形成されることを特徴とする、請求項１に記載の家具のクイック組み立て構造。
【請求項３】
前記横棒はその両端面にネジ穴が各々形成され、前記横棒の凸部にはネジ穴に組み合わせられるねじ山棒が各々形成されることを特徴とする、請求項１に記載の家具のクイック組み立て構造。
【考案の詳細な説明】
【技術分野】
【０００１】
本考案は、家具のクイック組み立て構造に関し、より詳しくは、縦棒と、横棒と、平台板とを有する組み立て構造であり、且つ各構造が互いに係合されて組み立てられ、家具構造を素早く組み立て及び解体可能になる等の特性を有する家具のクイック組み立て構造に関する。
【背景技術】
【０００２】
不動産価格が高騰する時代を迎えて、平均的な人々は経済的に困窮し、居住空間が狭められる情勢が続いている。居住空間が限られるなか、居住者の圧迫感を和らげるため、便利な折り畳み構造により、暫定的に使用していない家具(例えば、机、椅子)を折り畳むことで、空間を広く使えるようにしている。これにより、居住者の需要を満たし、そのために家具業者も努力を重ねている。
【考案の概要】
【考案が解決しようとする課題】
【０００３】
一般的な賃貸住宅の学生、単身者、または賃貸契約者は、必要に応じて引っ越しをすることが多いが、基本的な家具、例えば、椅子、棚等は常に必要であることから、一般的な固定式の家具では固定されており、運搬するには体積が大きく、不便であった。なお、一般的な組み立て式家具の多くは合板で製造されており、且つ使用者が自分でねじで固定するなどして組み立てねばならず、組み立てや解体が面倒であった。さらには、合板の重量が重すぎる上、耐荷重性も不足しており、湿ると変形や破損が生じやすかった。
【０００４】
そこで、本考案者は上記の欠点が改善可能と考え、且つ長年関連する産業に従事してきた開発経験から、従来の組み立てフレームが直面する問題を深く検討し、解決の道を積極的に探求し、長年の研究開発の努力の結果、家具のクイック組み立て構造を考案するに至った。構造が簡単で、組み立てが容易であり、且つ耐荷重性の高い組み立て式家具を提供する。
【０００５】
本考案は、このような従来の問題に鑑みてなされたものである。上記課題解決のため、本考案は、家具のクイック組み立て構造を提供することを目的とする。すなわち、縦棒と、横棒と、載置板とを有する組み立て構造であり、且つ各構造が互いに係合されることにより組み立てられ、家具構造に応用されると、素早く組み立て及び解体可能になる等の特性を有する。
【課題を解決するための手段】
【０００６】
上述した課題を解決し、目的を達成するために、本考案に係る家具のクイック組み立て構造は、複数本の縦棒と、複数本の横棒と、少なくとも１つの載置板とを備える。前記縦棒の側面には溝部が少なくとも形成され、前記溝部は２つの溝体が相互に導通されるように形成され、その内の１つの溝体は上方のワイドスロットセクションに位置され、もう１つの溝体は下方の狭いスロットセクションに位置され、前記横棒の両端にはワイドスロットセクションに対応するように凸部が各々形成され、且つ前記凸部は外径が内縮されて狭いスロットセクションに対応するように狭い径セクションが形成される。これにより、横棒の凸部の一端がワイドスロットセクションを貫通させ、且つ狭い径セクションが狭いスロットセクションに位置を合わせ、その凸部が自然に降下されるように縦棒の内面に係合され、垂直棒体及び水平棒体の設置が完成する。複数本の縦棒及び横棒が順にこの手法で設置されることによりフレームが完成し、その後に載置板が横棒上に載置されることで支持効果を有する平台が組み立てられる。
【０００７】
横棒の側面には複数の溝部が形成され、前記溝部は２つの溝体が相互に導通されるように形成される。横棒が水平に載置された状態では、その内の１つの溝体が上方のワイドスロットセクションに位置され、もう１つの溝体が下方の狭いスロットセクションに位置される。前記載置板の両端には横棒のワイドスロットセクションに対応するように少なくとも１つの凸部が各々形成され、且つ前記載置板の凸部は外径が内縮されて横棒の狭いスロットセクションに対応するように狭い径セクションが形成される。
【０００８】
前述の横棒はその両端面にネジ穴が各々形成され、前記横棒の凸部にはネジ穴に組み合わせられるねじ山棒が各々形成される。
【考案の効果】
【０００９】
前述の考案の内容から分かるように、本考案に係る「家具のクイック組み立て構造」は、組み立てにおいて、縦棒と横棒とを対応させて挿設させるだけで、その凸部が溝部に容易に対応して係合され、メインフレーム体を順に組み立て、最後に載置板を横棒に載置させれば平台の組み立てが完成する。従来の家具に比べると、本考案は素早く組み立てができ、解体しての収納が便利になる等の長所を有する。よって、本考案は高い実用性及び進歩性を有する考案といえ、産業界が推進し、一般大衆に公知にする価値がある。
【図面の簡単な説明】
【００１０】
【図１】本考案の第１実施形態による家具のクイック組み立て構造を示す展開図である。
【図２】本考案の縦棒及び横棒による組み合せを示す動作の概略図である。
【図３】本考案の縦棒及び横棒による組み合せを示す動作の概略図である。
【図４】本考案の載置板を示す部分拡大概略図である。
【図５】本考案の家具のクイック組み立て構造の組み合せ工程を示す概略図である。
【図６】本考案の家具のクイック組み立て構造の組み合せ工程を示す概略図である。
【図７】本考案の家具のクイック組み立て構造の組み合せ工程を示す概略図である。
【図８】本考案の第２実施形態の横棒を示す概略図である。
【図９】本考案の第２実施形態の横棒を示す概略図である。
【考案を実施するための形態】
【００１１】
本考案における好適な実施形態について、添付図面を参照して説明する。尚、以下に説明する実施形態は、実用新案登録請求の範囲に記載された本考案の内容を限定するものではない。また、以下に説明される構成の全てが、本考案の必須要件であるとは限らない。
【実施形態】
【００１２】
以下、本考案の具体的な実施形態を図１〜７に基づいて説明する。本考案の家具のクイック組み立て構造は、縦棒と、横棒と、平台板とを有する組み立て構造であり、且つ各構造が互いに係合されることにより組み立てられ、家具構造に応用されると、素早く組み立て及び解体可能になる等の特性を有する。本考案に係る「家具のクイック組み立て構造」は、複数本の縦棒１と、複数本の横棒２と、少なくとも１つの載置板３とを備える。
【００１３】
前記縦棒１の側面には溝部１１が少なくとも形成され、前記溝部１１は２つの溝体が相互に導通されるように形成され、その内の１つの溝体が上方のワイドスロットセクション１１１に位置され、もう１つの溝体が下方の狭いスロットセクション１１２に位置される。前記横棒２の両端にはワイドスロットセクション１１１に対応するように凸部２１が各々形成され、且つ前記凸部２１は外径が内縮されて狭いスロットセクション１１２に対応するように狭い径セクション２２が形成される。
【００１４】
これにより、横棒２の凸部２１の一端がワイドスロットセクション１１１を貫通させ、且つ狭い径セクション２２が狭いスロットセクション１１２に位置を合わせ、その凸部２１が自然に降下されるように縦棒１の内面に係合されて(図２及び図３参照)、垂直棒体及び水平棒体の設置が完成する。複数本の縦棒１及び横棒２が順にこの手法で設置されることによりフレームが完成し、その後に載置板３が横棒２上に載置されることで支持効果を有する平台が組み立てられる(図面では机を家具の実施例とするが、他にも椅子や棚等の家具にも応用可能である)。
【００１５】
更に詳しくは、前記横棒２の側面には複数の溝部２３が形成され、前記溝部２３は２つの溝体が相互に導通されるように形成される。横棒２が水平に載置された状態では、その内の１つの溝体が上方のワイドスロットセクション２３１に位置され、もう１つの溝体が下方の狭いスロットセクション２３２に位置され、前記載置板３の両端には横棒２のワイドスロットセクション２３１に対応する少なくとも１つの凸部３１が各々形成され、且つ前記載置板３の凸部３１は外径が内縮されて横棒２の狭いスロットセクション２３２に対応するように狭い径セクション３２が形成される。このように、縦棒１及び横棒２の結合手法は横棒２及び載置板３の結合にも応用可能である(図２及び図３の結合手法を参照し、他の図面には図示しないことを先に説明する)。また、図５乃至図７は本考案の組み立て工程を図示する。先ず、２本の縦棒１及び横棒２が設置され、且つこの方式により左右２組が組み立てられて家具の支持脚となり、載置板３の両側が横棒２に各々設置され、この３組が先に結合されて完成した部分的な部材が、縦棒１及び横棒２に対応するように結合されることで家具の組み立てが完成する。
【００１６】
さらに、図８及び図９は本考案に係る横棒２の第２実施形態であり、前記横棒２は両端面にネジ穴２４が各々形成され、前記横棒２の凸部２１にはネジ穴２４に組み合わせられるねじ山棒２１が各々形成される。これにより、前記凸部２１がねじ山棒２１１により延伸されるように操作され、長く広い載置板３の実施形態に応用される。また、前記横棒２の両端のネジ穴２４は左右の螺旋が異なるねじ山として設計され、凸部２１のねじ山棒２１１は配置されるネジ穴に合わせて左右の螺旋が異なるねじ山として設計される。横棒２の左右両端の凸部２１が縦棒１に設置される場合、横棒２が回転されるのみで両側が伸長または短縮されて、同期されて調整される。
【００１７】
前述の考案の内容から分かるように、本考案に係る「家具のクイック組み立て構造」は組み立てにおいて、縦棒１及び横棒２が互いに対応するように挿設されるのみで、その凸部２１及び溝部１１が簡単に対応するように嵌合され、続いて載置板３を横棒２に載置させることで家具の組み立てが完成する。よって、素早い組み立て及び解体しての収納が便利になる等の長所を有する。
【００１８】
上述の実施形態は本考案の技術思想及び特徴を説明するためのものにすぎず、当該技術分野を熟知する者に本考案の内容を理解させると共に、これをもって実施させることを目的とし、本考案の実用新案登録請求の範囲を限定するものではない。従って、本考案の精神を逸脱せずに行う各種の同様の効果をもつ改良又は変更は、実用新案登録請求の範囲に含まれるものとする。
【符号の説明】
【００１９】
１  縦棒
１１  溝部
１１１  ワイドスロットセクション
１１２  狭いスロットセクション
２  横棒
２１  凸部
２１１  ねじ山棒
２２  狭い径セクション
２３  溝部
２３１  ワイドスロットセクション
２３２  狭いスロットセクション
２４  ネジ穴
３   載置板 
３１  凸部
３２  狭い径セクション
【図１】
0003209806.tif 000003
【図２】
0003209806.tif 000004
【図３】
0003209806.tif 000005
【図４】
0003209806.tif 000006
【図５】
0003209806.tif 000007
【図６】
0003209806.tif 000008
【図７】
0003209806.tif 000009
【図８】
0003209806.tif 000010
【図９】
0003209806.tif 000011